(57)【要約】【課題】衛生洗浄装置の水抜きに連動してロータンクや便器ボウルなどの排水も実行可能とした衛生洗浄装置及びトイレ装置を提供する。【解決手段】タンクに貯留した水を排水弁を介して水洗便器のボウルに流すトイレに付設される衛生洗浄装置であって、吐水口から水を噴射する吐水ノズルと、給水源から供給される水を前記吐水ノズルに導く水路と、前記水路の途上に接続され前記水路の水の少なくとも一部を前記ボウルに排水可能とした水抜弁と、前記水抜弁を開閉させることによる前記水路の水抜きと、前記排水弁を開かせることによる前記タンクの排水と、を連動して実行可能とした制御部と、を備えたことを特徴とする衛生洗浄装置を提供する。【選択図】図２
2008081948.tif 000002
【特許請求の範囲】
【請求項１】
タンクに貯留した水を排水弁を介して水洗便器のボウルに流すトイレに付設される衛生洗浄装置であって、
吐水口から水を噴射する吐水ノズルと、
給水源から供給される水を前記吐水ノズルに導く水路と、
前記水路の途上に接続され前記水路の水の少なくとも一部を前記ボウルに排水可能とした水抜弁と、
前記水抜弁を開閉させることによる前記水路の水抜きと、前記排水弁を開かせることによる前記タンクの排水と、を連動して実行可能とした制御部と、
を備えたことを特徴とする衛生洗浄装置。
【請求項２】
前記給水源から前記水路への水の供給を検出する供給検出部をさらに備え、
前記水路の水抜きにおいて前記供給検出部により前記給水源から前記水路への水の供給が停止されていないと判断した時には、前記制御部は、前記水路の水抜きを実行しないことを特徴とする請求項１記載の衛生洗浄装置。
【請求項３】
前記給水源から前記水路への水の供給を検出する供給検出部をさらに備え、
前記水路の水抜きにおいて前記供給検出部により前記給水源から前記水路への水の供給が停止されていないと判断した時には、前記制御部は、音及び光の少なくともいずれかにより報知することを特徴とする請求項１記載の衛生洗浄装置。
【請求項４】
前記制御部は、前記水路の水抜きにおいて前記水抜弁を閉じさせた後に、前記タンクの排水のために前記排水弁を開かせることを特徴とする請求項１〜３のいずれか１つに記載の衛生洗浄装置。
【請求項５】
減圧された排水路と便器との間に開閉弁が設けられたトイレに付設される衛生洗浄装置であって、
吐水口から水を噴射する吐水ノズルと、
給水源から供給される水を前記吐水ノズルに導く水路と、
前記水路の途上に接続され前記水路の水の少なくとも一部を前記ボウルに排水可能とした水抜弁と、
前記水抜弁を開閉させることによる前記水路の水抜きと、前記開閉弁を開かせることによる前記便器のボウルから前記排水路への排水と、を連動して実行可能とした制御部と、
を備えたことを特徴とする衛生洗浄装置。
【請求項６】
前記制御部は、前記水路の水抜きにおいて前記水抜弁を閉じさせた後に、前記排水路への排水のために前記開閉弁を開かせることを特徴とする請求項５記載の衛生洗浄装置。
【請求項７】
前記水路を開閉する電磁弁と、
前記給水源から前記水路への水の供給を検出する供給検出部と、
をさらに備え、
前記水路の水抜きにおいて前記供給検出部により前記給水源から前記水路への水の供給が停止されていると判断した時には、前記制御部は、前記電磁弁も開かせることを特徴とする請求項１〜６のいずれか１つに記載の衛生洗浄装置。
【請求項８】
タンクに貯留した水を排水弁を介して水洗便器のボウルに流すトイレと、
吐水口から水を噴射する吐水ノズルと、
給水源から供給される水を前記吐水ノズルに導く水路と、
前記水路の途上に接続され前記水路の水の少なくとも一部を前記ボウルに排水可能とした水抜弁と、
前記水抜弁を開閉させることによる前記水路の水抜きと、前記排水弁を開かせることによる前記タンクの排水と、を連動して実行可能とした制御部と、
を備えたことを特徴とするトイレ装置。
【請求項９】
減圧された排水路と便器との間に開閉弁が設けられたトイレと、
吐水口から水を噴射する吐水ノズルと、
給水源から供給される水を前記吐水ノズルに導く水路と、
前記水路の途上に接続され前記水路の水の少なくとも一部を前記ボウルに排水可能とした水抜弁と、
前記水抜弁を開閉させることによる前記水路の水抜きと、前記開閉弁を開かせることによる前記便器のボウルから前記排水路への排水と、を連動して実行可能とした制御部と、
を備えたことを特徴とするトイレ装置。
【発明の詳細な説明】
【技術分野】
【０００１】
本発明は、衛生洗浄装置及びトイレ装置に関し、より具体的には、例えば洋式腰掛便器に腰掛けた使用者の「おしり」などを水で洗浄する衛生洗浄装置及びトイレ装置に関する。
【背景技術】
【０００２】
衛生洗浄装置は、洗浄水を噴射する吐水ノズルを進退自在に収容し、腰掛便器の上に設置して使用者の「おしり」などを温水で洗浄することができる。このような衛生洗浄装置は、その内部に水路系を有するため、保守点検や、寒冷地において凍結を防ぐために、衛生洗浄装置の給水部の水抜きを行う必要がある（例えば、特許文献１）。
【０００３】
しかし、例えば、寒冷地において凍結を防ぐためには、衛生洗浄装置の水抜きだけではなく、ロータンクなどの水も抜く必要がある。  
また一方、航空機などに設置されるいわゆる真空式のトイレの場合には、便器の排水を実行するためにはボウル底部に付設された開閉弁を開く必要がある。従って、例えば、保守点検などのために衛生洗浄装置の水抜きを実行した場合には、衛生洗浄装置から便器のボウルに排出された水が溢れ出さないように、便器の排水も実行する必要がある。同様に、凍結防止のために衛生洗浄装置の水抜きをする場合も、真空式便器のボウルに溜まった水の凍結を防ぐために、便器の排水も実行する必要がある。
【特許文献１】特開平４−６４６３１号公報
【発明の開示】
【発明が解決しようとする課題】
【０００４】
本発明は、衛生洗浄装置の水抜きに連動してロータンクや便器ボウルなどの排水も実行可能とした衛生洗浄装置及びトイレ装置を提供するものである。
【課題を解決するための手段】
【０００５】
本発明の一態様によれば、タンクに貯留した水を排水弁を介して水洗便器のボウルに流すトイレに付設される衛生洗浄装置であって、吐水口から水を噴射する吐水ノズルと、給水源から供給される水を前記吐水ノズルに導く水路と、前記水路の途上に接続され前記水路の水の少なくとも一部を前記ボウルに排水可能とした水抜弁と、前記水抜弁を開閉させることによる前記水路の水抜きと、前記排水弁を開かせることによる前記タンクの排水と、を連動して実行可能とした制御部と、を備えたことを特徴とする衛生洗浄装置が提供される。
【０００６】
また、本発明の他の一態様によれば、減圧された排水路と便器との間に開閉弁が設けられたトイレに付設される衛生洗浄装置であって、吐水口から水を噴射する吐水ノズルと、給水源から供給される水を前記吐水ノズルに導く水路と、前記水路の途上に接続され前記水路の水の少なくとも一部を前記ボウルに排水可能とした水抜弁と、前記水抜弁を開閉させることによる前記水路の水抜きと、前記開閉弁を開かせることによる前記便器のボウルから前記排水路への排水と、を連動して実行可能とした制御部と、を備えたことを特徴とする衛生洗浄装置が提供される。
【０００７】
また、本発明の他の一態様によれば、タンクに貯留した水を排水弁を介して水洗便器のボウルに流すトイレと、吐水口から水を噴射する吐水ノズルと、給水源から供給される水を前記吐水ノズルに導く水路と、前記水路の途上に接続され前記水路の水の少なくとも一部を前記ボウルに排水可能とした水抜弁と、前記水抜弁を開閉させることによる前記水路の水抜きと、前記排水弁を開かせることによる前記タンクの排水と、を連動して実行可能とした制御部と、を備えたことを特徴とするトイレ装置が提供される。
【０００８】
また、本発明の他の一態様によれば、減圧された排水路と便器との間に開閉弁が設けられたトイレと、吐水口から水を噴射する吐水ノズルと、給水源から供給される水を前記吐水ノズルに導く水路と、前記水路の途上に接続され前記水路の水の少なくとも一部を前記ボウルに排水可能とした水抜弁と、前記水抜弁を開閉させることによる前記水路の水抜きと、前記開閉弁を開かせることによる前記便器のボウルから前記排水路への排水と、を連動して実行可能とした制御部と、を備えたことを特徴とするトイレ装置が提供される。
【発明の効果】
【０００９】
本発明によれば、衛生洗浄装置の水抜きに連動してロータンクや便器ボウルなどの排水も実行可能とした衛生洗浄装置及びトイレ装置を提供できる。
【発明を実施するための最良の形態】
【００１０】
以下、図面を参照しつつ本発明の実施の形態について説明する。  
図１は、本発明の第１の実施の形態にかかるトイレ装置のブロック図である。  
また、図２は、本実施形態のトイレ装置を例示する模式斜視図である。  
また、図３は、このトイレ装置の一部断面模式図である。  
このトイレ装置は、水洗トイレ９００と、この水洗トイレに設置された衛生洗浄装置１０と、を有する。水洗トイレ９００は、洗浄水を貯留可能なタンク９１０と、ボウル９３０を有する便器９５０と、タンク９１０に貯留された洗浄水を排水路９５５を介してボウル９３０に流す排水弁９２０と、を有する。排水弁９２０は、排水弁駆動部９６０により自動的に開くことが可能とされている。また、排水弁９２０は、使用者がハンドル９３５などを操作することにより手動でも開くことができるようにしてもよい。図２及び図３に表した水洗トイレ９００は、いわゆる「ロータンク式」のものであり、排水弁９２０は、浮子９２２の浮力により鉛直上方に付勢されている。従って、排水弁９２０が排水弁駆動部９６０またはハンドル９３５により開かれると、タンク９１０内の水が所定の水位に低下するまで、排水弁９２０は浮子９２２の浮力により開かれた状態が維持される。一方、タンク９１０にはボールタップ９１５が設けられ、タンク９１０内の水位が所定のレベルになるまで、分岐２２から供給される水を給水する。
【００１１】
ただし、本願明細書における「排水弁」とは、便用後に汚物を流す便器洗浄用の排水弁には限定されず、このような便器洗浄用の排水弁とは別に設けられタンク９１０の水を排出する排水弁も含むものとする。
【００１２】
なお、図２及び図３においては、タンク９１０として「ロータンク式」のものを表したが、本発明はこれに限定されず、例えば「ハイタンク式」の洗浄タンクを用いたものであってもよい。
【００１３】
一方、便器９５０の上に設置された衛生洗浄装置１０は、本体部１２と、この本体部１２に対して開閉自在に軸支された便座１４及び便蓋１６と、を備える。ただし便蓋１６は、設けなくてもよい。本体部１２からは、使用者のスイッチ操作などに応じて吐水ノズルが便器９５０のボウル内に伸出し、その先端付近に設けられた吐水口から水を噴射して、使用者の「おしり」などを洗浄可能とされている。なお、本願明細書において「水」という場合には、冷水のみならず、加熱されたお湯も含むものとする。
【００１４】
トイレ装置が設置されたトイレ空間の壁などには、水道または貯水タンクなどの給水源に接続された止水栓２０が設けられ、その先に分岐２２が設けられて、水洗トイレのタンク９１０と衛生洗浄装置１０とにそれぞれ給水される。衛生洗浄装置１０は、分岐２２から給水された水をノズルユニット４００に導く水路１１０を有する。水路１１０の上流側には、電磁弁１２０が設けられている。電磁弁１２０は、例えばノーマリクローズすなわち非通電時において閉状態となる電磁バルブであり、制御部５００からの指令に基づいて水の供給を制御する。電磁弁１２０の下流には、熱交換ユニット２００が設けられている。熱交換ユニット２００は、供給された水をヒータで加熱し、所定の温水にする。熱交換ユニット２００の下流には、吐水ノズルを有するノズルユニット４００が設けられている。
【００１５】
また、熱交換ユニット２００とノズルユニット４００との間には、水抜弁１００が設けられている。水抜弁１００は、制御部５００からの指示に基づいて開き、水路１１０及びその途上にある熱交換ユニット２００などの内部に残留した水を外部に放出する。水抜弁１００から放出された水は、便器のボウル９３０に排出される。なお、本実施形態における水抜弁１００の接続位置は、図１に表した具体例には限定されず、電磁弁１２０の下流側であれば、何処に接続してもよい。また、ノズルユニット４００から水抜きを行うタイプの衛生洗浄装置の場合には、水抜弁１００の代わりにノズルユニットの通水を制御する通水制御弁を用いてもよい。
【００１６】
また、衛生洗浄装置１０と排水弁駆動部９６０とは、接続コード９６２により接続され、制御部５００からの信号または電力により排水弁駆動部９６０を駆動させて排水弁９２０を開くことが可能とされている。  
以上説明した衛生洗浄装置１０の動作は、本体部やリモコンなどに設けられたスイッチなどの操作部７００を操作することにより制御することができる。
【００１７】
次に、このトイレ装置において実行される水抜き動作について説明する。  
図４は、本実施形態のトイレ装置の水抜き動作を例示するフローチャートである。  
すなわち、衛生洗浄装置１０の制御部５００は、まず、水抜きトリガがあるか否かを判定する（ステップＳ１１０）。水抜きトリガは、水抜き動作を開始する指令であり、例えば、使用者が操作部７００を操作することにより入力することができる。なおこの時、使用者は、予め止水栓２０を閉じて衛生洗浄装置１０及び水洗トイレ９００への給水を遮断することが望ましい。
【００１８】
水抜きトリガが入力された場合（ステップＳ１１０：ｙｅｓ）には、制御部５００は、操作スイッチの受付を禁止する（ステップＳ１２０）。すなわち、使用者が操作部７００を操作して、例えば「おしり」の洗浄を開始しようとしても、その動作は実行されない。ただし、例えば、水抜き動作を中止するような指令が入力された場合には、これを受け付けて水抜き動作を適宜中止する。また、ステップＳ１２０において、例えば使用者が「おしり」の洗浄のためにリモコンなどのスイッチを操作した時に、「ピピッ」のようなアラームを鳴らしたり、光などにより、水抜き動作を実行中であることを報知してもよい。
【００１９】
そして、制御部５００は、水抜弁１００を開く（ステップＳ１３０）。この時、典型的には、電磁弁１２０は閉じた状態にある。すると、衛生洗浄装置１０の水路１１０の電磁弁１２０の下流側に残留している水が水抜弁１００から便器のボウル９３０に排出される。便器９５０は、例えばサイホン式の水洗便器であり、トラップ９３２の最大水位を超える水は自動的に排水管に放出される。従って、衛生洗浄装置１０の水抜きによりボウル９３０から外側に水が溢れでることはない。
【００２０】
例えば、熱交換ユニット２００に貯湯タンクを設けた場合には、７００ミリリットル程度の水が残留していることもある。本実施形態によれば、このような残留水も水抜弁１００を介して確実且つ容易に排出できる。なお、本発明は貯湯タンクを用いたものには限定されず、いわゆる瞬間加熱式の熱交換機を有するものも包含する。
【００２１】
次に、水抜きが完了したか否かを判定する（ステップＳ１４０）。具体的には、例えば水抜弁１００を開いてから所定の時間が経過したか否かが、制御部５００において判定される。または、水抜きトリガ（ステップＳ１１０参照）が入力されてから所定の時間が経過したか否かにより判定してもよい。またあるいは、水抜弁１００あるいはその下流側にセンサなどの検知手段を設け、水抜弁１００から排出される水がこの検知手段によって検知されなくなってから所定時間が経過したか否かを判定してもよい。また一方、水路１１０の一部や熱交換ユニット２００などの重量を検出し、その重量が所定の値以下となってから所定の時間が経過したか否かを判定してもよい。あるいは、熱交換ユニット２００の内部の水位をフロートスイッチやセンサなどにより検出し、所定の水位を下回ってから所定の時間が経過したか否かによって判定してもよい。
【００２２】
このような方法により水抜きが完了したと判定した時（ステップＳ１４０：ｙｅｓ）は、制御部５００は、水抜弁１００を閉じる（ステップＳ１５０）。そして、制御部５００は、水洗トイレ９００の排水弁９２０を開くための信号を排水弁駆動部９６０に送信する（ステップＳ１６０）。すると、水洗トイレ９００の排水弁９２０が開かれ、タンク９１０に貯留されていた水がボウル９３０に排出される。なおこの時、前述したように、使用者により予め止水栓２０が閉じられていれば、タンク９１０への給水はされない。つまり、タンク９１０の水抜きをすることができる。
【００２３】
また、この時、タンク９１０への給水が遮断されていると、ボールタップ９１５から分岐しオーバーフロー管９１６から排水路９５５を介してボウル９３０に供給されるはずの封水用の水の供給も遮断される。従って、サイホン効果によりトラップ９３２の水の殆どが排水管に押し流された後に、封水用の水が供給されず、トラップ９３２は殆ど水がない状態を形成することも可能である。つまり、便器９５０のトラップ９３２の水位を下げることにより、凍結によるトラブルを防止することも可能となる。
【００２４】
このようにして水洗トイレ９００のタンク９１０及びトラップ９３２の水抜きを実行したら、操作スイッチの受付を再び許可状態とする（ステップＳ１７０）。その後、使用者は、止水栓２０を開状態にし、例えばリモコンなどの操作部７００の所定のスイッチを押したり、衛生洗浄装置１０の電源を遮断した後に再投入すると、給水が開始される。すなわち、衛生洗浄装置１０の電磁弁１２０が開かれて、熱交換ユニット２００に水が導入される。また、水洗トイレのタンク９１０には、ボールタップ９１５を介して所定の水位まで給水され、トラップ９３２にもオーバーフロー管９１６を介して封水が充填される。
【００２５】
ただし、ボールタップ９１５からオーバーフロー管９１６を介してトラップ９３２に封水が充填されないタイプの便器の場合には、封水を充填する操作が必要となる。その場合には、例えば制御部５００を用いて、給水開始から所定時間経過後に排水弁９２０を開動作させるようにすればよい。また、給水開始から所定時間経過したか否かに限らず、重量による制御など、前述した判定方法を転用してもよい。
【００２６】
以上説明したように、本実施形態によれば、衛生洗浄装置１０の水抜きに連動して水洗トイレのタンク９１０及びトラップ９３２の水抜きを自動的に実行させることができる。すなわち、衛生洗浄装置１０と水洗トイレ９００の水抜きを使用者がそれぞれ行わなければならないとすると、水抜き作業は面倒であり、作業のミスや作業の忘れなどが生ずる場合もある。これに対して、本実施形態によれば、衛生洗浄装置１０と連動して水洗トイレ９００の水抜きも実行できる。その結果として、寒冷地における凍結防止などのための水抜きを確実且つ容易に実行でき、使い勝手のよいトイレ装置を実現できる。
【００２７】
次に、本発明の第２の実施の形態について説明する。  
図５は、本実施形態にかかるトイレ装置のブロック図である。  
また、図６は、本実施形態のトイレ装置の水抜き動作を例示するフローチャートである。  これらの図については、図１〜図４に関して前述したものと同様の要素には同一の符号を付して詳細な説明は省略する。
【００２８】
本実施形態においては、衛生洗浄装置１０に給水源からの水の供給状態を検出する供給検出部５５０が設けられている。供給検出部５５０は、例えば水路１１０に設けられた水圧センサとすることができる。供給検出部５５０を設けることにより、水路１１０への水の供給の有無、すなわち止水栓２０の開閉状態を調べることができる。
【００２９】
制御部５００は、供給検出部５５０からの信号に基づき、水抜き動作を実行する。すなわち、水抜きトリガが発生すると（ステップＳ１１０：ｙｅｓ）、制御部５００は、供給検出部５５０からの信号に基づき、止水栓２０からの給水が停止しているか否かを判定する（ステップＳ１８０）。給水が停止していない（ステップＳ１８０：ｎｏ）と判定した場合には、ステップＳ１１０に戻る。またこの時、例えば、「ピピッ」のようなアラームを鳴らしたり、光などにより、止水栓２０が閉じられていないことを使用者に報知してもよい。
【００３０】
一方、給水が停止していると判断した場合（ステップＳ１８０：ｙｅｓ）は、ステップＳ１２０以降の処理を順次実行する。これらの処理については、図１〜図４に関して前述したものと同様とすることができる。
【００３１】
衛生洗浄装置１０と連動して水洗トイレのタンク９１０などの水抜きを実行させるためには、止水栓２０を閉じる必要がある。これに対して、本実施形態によれば、止水栓２０が閉じられているか否かを供給検出部５５０により検出することにより、使用者が止水栓２０を閉めずに水抜きの指令を出した場合に、水抜き動作を実行しないようにすることができる。つまり、使用者が止水栓２０を閉め忘れた場合などに、水抜き動作を行わず、止水栓２０が閉じられていないことを報知することが可能となる。
【００３２】
また、ステップＳ１７０の後に、使用者が例えばリモコンなどの操作部７００の所定のスイッチを押したり、衛生洗浄装置１０の電源を遮断した後に再投入して給水の開始を指令した時にも、供給検出部５５０により止水栓２０の開閉状態を判定することができる。つまり、給水の開始が指令された時に、止水栓２０が閉まっている場合には、音や光などのアラームにより使用者に報知することができる。
【００３３】
一方、本実施形態においては、ステップＳ１８０において、給水が停止していない場合（ｎｏ）に、ステップＳ１１０まで戻らず、音や光で使用者に報知しつつ、ステップＳ１２０以降を実行するようにしてもよい。このようにすると、例えば、衛生洗浄装置１０の保守点検のために水抜きをしたい場合などに、衛生洗浄装置１０のみの水抜きを実行させることができる。また一方、給水が停止していない場合（ｎｏ）に、ステップＳ１１０まで戻らず、音や光で使用者に報知しつつ、給水を停止するまでステップＳ１８０で待機し、給水停止後にステップＳ１２０以降を実行するようにしてもよい。
【００３４】
図７は、本実施形態の変型例にかかる水抜き動作のフローチャートである。  
すなわち、本変型例においては、ステップＳ１９０において水抜弁１００とともに電磁弁１２０も開く。この時、止水栓２０は閉じているので、止水栓２０から電磁弁１２０に至る水路に残留している水も、水抜弁１００から排出させることが可能となる。  
そして、水抜きが完了したら（ステップＳ１４０：ｙｅｓ）、水抜弁１００とともに電磁弁１２０も閉じる（ステップＳ２００）。このようにして、衛生洗浄装置１０およびこれに至る配管の水抜きをさらに確実に実行することが可能となる。
【００３５】
なお、本変型例における水抜弁１００と電磁弁１２０の開閉のタイミングは必ずしも同時である必要はない。すなわち、電磁弁１２０の１次側の水抜きができる限り、その開閉タイミングは適宜設定することができる。
【００３６】
次に、本発明の第３の実施の形態について説明する。  
図８は、本実施形態にかかるトイレ装置のブロック図である。  
また、図９は、本実施形態のトイレ装置を例示する模式斜視図である。  
また、図１０は、このトイレ装置の一部断面模式図である。  
これらの図についても、図１〜図７に関して前述したものと同様の要素には同一に符号を付して詳細な説明は省略する。
【００３７】
本実施形態のトイレ装置は、真空式のトイレ９００と、この真空式のトイレに設置された衛生洗浄装置１０と、を備える。真空式のトイレ９００は、例えば航空機などに設置される。すなわち、便器９５０のボウル９３０の底部に開閉弁９４０が設けられ、減圧された排水路９７０との間が開閉自在とされている。開閉弁９４０が閉じた状態では気密及び液密がほぼ維持され、一方、開閉弁９４０が開くとボウル９３０内の水などが排水路９７０に吸引排出される。また、開閉弁９４０を開く際に、所定量の水をボウル９３０に流すようにしてもよい。
【００３８】
そして、本実施形態においては、衛生洗浄装置１０の制御部５００から開閉弁９４０を開閉する信号が出力される。
【００３９】
図１１は、本実施形態のトイレ装置において実行される水抜き動作のフローチャートである。同図についても、図１〜図１０に関して前述したものと同様の要素には同一の符号を付して詳細な説明は省略する。
【００４０】
本実施形態においては、例えば電磁弁１２０を閉じたままステップＳ１１０〜ステップＳ１５０の一連の処理を実行した後に、真空式のトイレの開閉弁９４０を開き、閉じる（ステップＳ２１０）。前述したように、真空式のトイレの場合、開閉弁９４０が閉じられた状態では液密がほぼ維持されるので、衛生洗浄装置１０の水抜きによりボウル９３０に排出された水はボウル９３０に溜まることとなる。そこで、衛生洗浄装置１０の水抜きを実行した後に、真空式のトイレの開閉弁９４０を開き、ボウル９３０に溜まった水を排水路９７０に排出する。その後、開閉弁９４０を閉じる。このようにすれば、衛生洗浄装置１０の水抜きによりボウル９３０に排出されて溜まった水がボウル９３０の外に溢れたり、凍結したりする問題を防止できる。
【００４１】
なお、本実施形態においては、開閉弁９４０の開閉のタイミングは図１１に表した具体例には限定されない。例えば、開閉弁９４０を開くタイミングはもっと早くてもよいし、また例えば、開閉弁９４０を開くタイミングを複数回設けてもよい。
【００４２】
以上説明したように、本実施形態においても、衛生洗浄装置１０の水抜きに連動して真空式のトイレのボウル９３０に排出された水の排水を自動的に実行させることができる。この場合にも、衛生洗浄装置１０の水抜きと真空式のトイレ９００の排水を使用者がそれぞれ行わなければならないとすると、水抜き作業は面倒であり、作業のミスや作業の忘れなどが生ずる場合もある。これに対して、本実施形態によれば、衛生洗浄装置１０と連動して真空式のトイレ９００の排水も実行できる。その結果として、寒冷地における凍結防止などのための水抜きを確実且つ容易に実行でき、使い勝手のよいトイレ装置を実現できる。
【００４３】
次に、本発明の第４の実施の形態について説明する。  
図１２は、本実施形態にかかるトイレ装置のブロック図である。  
また、図１３は、本実施形態のトイレ装置の水抜き動作を例示するフローチャートである。  
これらの図についても、図１〜図１２に関して前述したものと同様の要素には同一の符号を付して詳細な説明は省略する。
【００４４】
本実施形態においても、第２実施形態と同様に、衛生洗浄装置１０に給水源からの水の供給状態を検出する供給検出部５５０が設けられている。供給検出部５５０を設けることにより、水路１１０への水の供給の有無、すなわち止水栓２０の開閉状態を調べることができる。
【００４５】
その動作について説明すると、本実施形態においても、図７に関して前述したものと同様に、ステップＳ１９０において水抜弁１００とともに電磁弁１２０も開く。この時、止水栓２０は閉じているので、止水栓２０から電磁弁１２０に至る水路に残留している水も、水抜弁１００から排出させることが可能となる。  
そして、水抜きが完了したら（ステップＳ１４０：ｙｅｓ）、水抜弁１００とともに電磁弁１２０も閉じる（ステップＳ２００）。このようにして、衛生洗浄装置１０およびこれに至る配管の水抜きをさらに確実に実行することが可能となる。
【００４６】
なお、本実施形態における水抜弁１００と電磁弁１２０の開閉のタイミングについても、必ずしも同時である必要はない。すなわち、電磁弁１２０の１次側の水抜きができる限り、その開閉タイミングは適宜設定することができる。
【００４７】
以上、本発明の第１乃至第４の実施形態について説明した。  
次に、これら実施形態における衛生洗浄装置１０の水路系について具体例を挙げて説明する。
【００４８】
図１４は、本発明の衛生洗浄装置１０の水路系を例示するブロック図である。  
衛生洗浄装置１０の水路１１０の上流側には、まず止水栓１１２が設けられている。止水栓１１２は、手動による開閉が可能とされ、例えば、衛生洗浄装置１０の取付・取り外しや保守点検の際などに水路を随時遮断することができる。なお、止水栓１１２は、衛生洗浄装置１０に設けてもよく、または、衛生洗浄装置１０とは別体の要素として水道または貯水タンクなどの給水源の分岐２２の近傍に設けてもよい。
【００４９】
止水栓１１２の下流には、ストレーナ１１４、電磁開閉弁１２０、調圧弁１３０が設けられている。ストレーナ１１４は、例えば８０メッシュ程度のフィルタであり、給水に混入した異物を除去する。電磁開閉弁１２０は、第１乃至第３実施形態に関して前述した如くである。調圧弁１３０は、給水圧が高い場合に、所定の圧力範囲に調整する役割を有する。また、ストレーナ１１４と電磁開閉弁１２０との間や、電磁開閉弁１２０と調圧弁１３０との間には、バキュームブレーカ１１８、１２２が適宜設けられている。これらバキュームブレーカは、水路の水抜きの際に外部から空気を取り込んで水抜きを促進させる。
【００５０】
調圧弁１３０の下流には、安全弁１４０が設けられている。安全弁１４０は、水路の圧力が上昇した時に開いて、水を便器のボウルに排出する。安全弁１４０を設けることにより、例えば調圧弁１３０の故障などによりその２次側の水路の圧力が上昇した場合でも、衛生洗浄装置１０の内部に漏水が生ずることを防止できる。
【００５１】
安全弁１４０の下流には、熱交換ユニット２００が設けられ、その下流には、バキュームブレーカ２１０、逆止弁２２０、バキュームブレーカ２３０から、流量調整弁ユニット３００を経てノズルユニット４００が接続されている。逆止弁２２０は、水路の圧力が低下した場合などに、ノズルユニット４００から水路への水の逆流を防止する。その前後に設けられたバキュームブレーカ２１０、２３０は、逆止弁２２０の１次側と２次側の水路の水抜きを促進させる。流量調整弁ユニット３００は、ノズルユニット４００に設けられている吐水ノズルやノズル洗浄室への給水の切替や水勢の調整をする。なお、流量調整弁ユニット３００の２次側に、水に脈動を与える脈動ユニットなどを設けてもよい。
【００５２】
そして、このような水路１１０に水抜弁１００を設け、この水抜弁１００の開閉と連動して、水洗トイレまたは真空式トイレの排水を実行させることにより、確実且つ容易に、トイレ装置の全体の水抜きを実行できる。
【００５３】
次に、本実施形態のトイレ装置を寒冷地に設置する場合の態様について説明する。  
図１５〜図１７は、寒冷地に設置するトイレ装置の具体例を表す模式図である。
【００５４】
図１５に表したトイレ装置の場合、便器９５０にヒータ９８０が付設され、トラップ９３２に溜まった水を加熱して凍結を防止することができる。また、衛生洗浄装置１０とタンク９１０に給水するための給水管２１は地下の不凍帯まで埋設され、水抜き栓９９５により水抜きが可能とされている。止水栓２０（図１、図５参照）を開いた状態で水抜き栓９９５により水抜きをした場合、衛生洗浄装置１０の電磁弁１２０の１次側まで水抜きすることも可能である。
【００５５】
本発明の第１及び第２実施形態によれば、図４に関して前述したように、タンク９１０の水抜きをすることにより、トラップ９３２は殆ど水がない状態を形成することも可能である。従って、このままでも凍結などによるトラブルを回避できる場合もあるが、図１５に表した具体例によれば、ヒータ９８０を用い、トラップ９３２に残った水を加熱して凍結を防ぐことにより、より確実に凍害を防止できる。
【００５６】
図１６に表したトイレ装置の場合、凍結防止のために、トイレ装置が設置されたトイレ空間の室内暖房器９９０が付設されている。この場合には、タンク９１０に至るまでの給水管２１内の水が凍結するおそれがある。このため、衛生洗浄装置１０及びタンク９１０内の水を水抜きした後に、給水管２１内の水を水抜き栓９９５により水抜きして凍結を防止する。この場合にも、本発明の第１及び第２の実施形態により衛生洗浄装置１０とタンク９１０の水抜きを連動して実行することができる。
【００５７】
図１７に表したトイレ装置の場合、トラップ９３２に溜まる水の凍結防止のために、トラップ９３２を不凍帯に埋設している。この場合も、第１及び第２の実施の形態により衛生洗浄装置１０とタンク９１０の水抜きを実行し、また、水抜き栓９９５により給水管２１の水抜きをすればよい。
【００５８】
以上説明したように、本実施形態によれば、衛生洗浄装置１０の水抜きと連動させて水洗式トイレの水抜きや真空式トイレの排水を自動的に実行させることができる。例えば、寒冷地において凍結防止のために水抜きをする場合に、使用者は衛生洗浄装置の水抜きと、水洗式トイレの水抜きあるいは真空式トイレの排水を別々に実行する必要がなく、衛生洗浄装置の水抜きのみを実行すればよく、使い勝手のよいトイレ装置を提供できる。
【００５９】
また、例えば、キャンピングカーや列車、航空機などに衛生洗浄装置を搭載する場合、これらを低温環境下で駐車・駐機する際には、水抜きが必要となる場合が多い。本実施形態によれば、このような場合でも、使用者は衛生洗浄装置の水抜きと、水洗式トイレの水抜きあるいは真空式トイレの排水を別々に実行する必要がなく、衛生洗浄装置の水抜きのみを実行すればよく、使い勝手のよいトイレ装置を提供できる。
【００６０】
以上、具体例を参照しつつ、本発明の実施の形態について説明した。しかし、本発明は、これらの具体例に限定されるものではない。例えば、図１乃至図１７に関して前述した各具体例が有する特徴は、技術的に可能な範囲において適宜組み合わせることができ、これらも本発明の範囲に包含される。  
例えば、図６、図７、図１３に表した具体例において、ステップＳ１２０をステップＳ１１０とステップＳ１８０との間に行ってもよい。このようにすると、水抜きトリガがあったことを使用者などに対して分かり易くすることができる。  
また例えば、図４や図６に表した具体例においてステップＳ１４０及びステップＳ１５０を省略したり、あるいは図７に表した具体例においてステップＳ１４０及びステップＳ２００を省略することで、水抜弁と排水弁の開動作を連動して略同時に実行させることもできる。このようにすると、水抜き動作を同時に行うため、水抜き動作に必要な時間を短縮することができる。ただし、この場合には水抜弁・電磁弁を別途閉じる必要がある。
【００６１】
また、衛生洗浄装置の構造や、その初期化動作の内容についても、図１乃至図１７に関して前述したものには限定されず、当業者が適宜設計変更することにより本発明を同様に実施し、同様の効果を得ることができるものも本発明の要旨を含む限り、本発明の範囲に包含される。例えば、吐水ノズルは、水圧により進退するものであってもよく、あるいはひとつあるいは複数のシリンダ体の内部にスライド可能とされた多段式の構造を有するものであってもよい。
【００６２】
また、例えば、前述した制御を行う制御部は必ずしも衛生洗浄装置の内部に設ける必要はなく、衛生洗浄装置が設置される構造物の他の場所に設けてもよい。また、衛生洗浄機能部を備えたトイレ装置の場合にも、前述した制御を行う制御部は必ずしもトイレ装置の内部に設ける必要はなく、トイレ装置が設置される構造物の他の場所に設けてもよい。同様に、水抜きトリガを出力する操作部についても、必ずしも衛生洗浄装置やトイレ装置と一体的に設ける必要はなく、衛生洗浄装置やトイレ装置が設置される構造物の他の場所に設けてもよい。これらの場合には、同じ構造物に設けられた他の機器等の操作部や制御部とまとめることができるので、管理が容易になる。
【図面の簡単な説明】
【００６３】
【図１】本発明の第１の実施の形態にかかるトイレ装置のブロック図である。
【図２】第１実施形態のトイレ装置を例示する模式斜視図である。
【図３】第１実施形態のトイレ装置の一部断面模式図である。
【図４】第１実施形態のトイレ装置の水抜き動作を例示するフローチャートである。
【図５】本発明の第２実施形態にかかるトイレ装置のブロック図である。
【図６】第２実施形態のトイレ装置の水抜き動作を例示するフローチャートである。
【図７】第２実施形態の変型例にかかる水抜き動作のフローチャートである。
【図８】本発明の第３実施形態にかかるトイレ装置のブロック図である。
【図９】第３実施形態のトイレ装置を例示する模式斜視図である。
【図１０】第３実施形態のトイレ装置の一部断面模式図である。
【図１１】第３実施形態のトイレ装置において実行される水抜き動作のフローチャートである。
【図１２】本発明の第４実施形態にかかるトイレ装置のブロック図である。
【図１３】第４実施形態のトイレ装置において実行される水抜き動作のフローチャートである。
【図１４】本発明の衛生洗浄装置１０の水路系を例示するブロック図である。
【図１５】寒冷地に設置するトイレ装置の具体例を表す模式図である。
【図１６】寒冷地に設置するトイレ装置の具体例を表す模式図である。
【図１７】寒冷地に設置するトイレ装置の具体例を表す模式図である。
【符号の説明】
【００６４】
１０ 衛生洗浄装置、 １２ 本体部、 １４ 便座、 １６ 便蓋、 ２０ 止水栓、 ２１ 給水管、 ２２ 分岐、１００ 水抜弁、１１０ 水路、１１２ 止水栓、１１４ ストレーナ、１１８ バキュームブレーカ、１２０ 電磁弁、１３０ 調圧弁、１４０ 安全弁、２００ 熱交換ユニット、２１０ バキュームブレーカ、２２０ 逆止弁、２３０ バキュームブレーカ、３００ 流量調整弁ユニット、４００ ノズルユニット、５００ 制御部、５５０ 供給検出部、７００ 操作部、９００ トイレ、９１０ タンク、９１５ ボールタップ、９１６ オーバーフロー管、９２０ 排水弁、９２２ 浮子、９３０ ボウル、９３２ トラップ、９３５ ハンドル、９４０ 開閉弁、９５０ 便器、９５５ 排水路、９６０ 排水弁駆動部、９６２ 接続コード、９７０ 排水路、９８０ ヒータ、９９０ 室内暖房器、９９５ 水抜き栓
【図１】
2008081948.tif 000003
【図２】
2008081948.tif 000004
【図３】
2008081948.tif 000005
【図４】
2008081948.tif 000006
【図５】
2008081948.tif 000007
【図６】
2008081948.tif 000008
【図７】
2008081948.tif 000009
【図８】
2008081948.tif 000010
【図９】
2008081948.tif 000011
【図１０】
2008081948.tif 000012
【図１１】
2008081948.tif 000013
【図１２】
2008081948.tif 000014
【図１３】
2008081948.tif 000015
【図１４】
2008081948.tif 000016
【図１５】
2008081948.tif 000017
【図１６】
2008081948.tif 000018
【図１７】
2008081948.tif 000019